(57)【特許請求の範囲】
【請求項１】
建物の開閉口を開閉可能な障子の戸先框における室内面に取り付けられるベース部と、前記ベース部に対して前記障子のスライド方向にスライド可能なハンドル部と、前記ベース部に対して前記障子のスライド方向に往復動可能な押圧部とを備えてなり、前記障子が閉鎖位置にあるときに前記ハンドル部を前記ベース部に対して戸尻側に引くと前記押圧部が戸先側に移動して前記開閉口の内側面を押圧し、前記障子の初動抵抗を軽減することが可能なアシストハンドルにおいて、
上下に延びかつ上下対称に配置され、前記ベース部のうち上下方向の中央寄り位置に回転可能に支持されて前記障子の室内面と平行な面内で回動する１対の対称回動レバーと、
前記１対の対称回動レバーが対称回動するように前記１対の対称回動レバーの先端部同士を連結するレバー連結機構と、
一端に前記押圧部を有し、前記１対の対称回動レバーの先端部と一体になって前記障子のスライド方向に往復動するように前記対称回動レバーの先端部に連結された直動出力部材と、
前記ベース部に設けられ、前記直動出力部材を、前記障子のスライド方向に直動可能に案内する押圧ガイド部と、
各前記対称回動レバーの基端部と前記ハンドル部の上下の両端部と連結し、前記ハンドル部の直動に連動して前記１対の対称回動レバーを回動させるハンドル・レバー連結機構と、
前記ベース部のうち前記室内側を向いた面の上下両端部における戸先寄り位置に突出形成された１対のフード部と、
各前記フード部に形成され、戸尻側に向かって開放したフード開口とを備え、
前記ハンドル部は、前記１対のフード部より戸尻側に配置されると共に、上下の両端部から各前記フード開口内に向かって突出した１対の連結突出部を有し、
前記１対の連結突出部と前記１対の対称回動レバーの基端部とが前記ハンドル・レバー連結機構によって前記ベース部内で連結されたことを特徴とするアシストハンドル。
【請求項２】
建物の開閉口を開閉可能な障子の戸先框における室内面に取り付けられるベース部と、前記ベース部に対して前記障子のスライド方向にスライド可能なハンドル部と、前記ベース部に対して前記障子のスライド方向に往復動可能な押圧部とを備えてなり、前記障子が閉鎖位置にあるときに前記ハンドル部を前記ベース部に対して戸尻側に引くと前記押圧部が戸先側に移動して前記開閉口の内側面を押圧し、前記障子の初動抵抗を軽減することが可能なアシストハンドルにおいて、
上下に延びかつ上下対称に配置され、前記ベース部のうち上下方向の中央寄り位置に回転可能に支持されて前記障子の室内面と平行な面内で回動する１対の対称回動レバーと、
前記１対の対称回動レバーが対称回動するように前記１対の対称回動レバーの先端部同士を連結するレバー連結機構と、
一端に前記押圧部を有し、前記障子のスライド方向に往復動する直動出力部材と、
前記直動出力部材に設けられ、前記１対の対称回動レバーの先端部を前記障子のスライド方向で挟んで前記１対の対称回動レバーの先端部から前記スライド方向を向いた動力を受ける１対の対向壁と、
前記ベース部に設けられ、前記直動出力部材を、前記障子のスライド方向に直動可能に案内する押圧ガイド部と、
各前記対称回動レバーの基端部と前記ハンドル部の上下の両端部と連結し、前記ハンドル部の直動に連動して前記１対の対称回動レバーを回動させるハンドル・レバー連結機構とを備えたことを特徴とするアシストハンドル。
【請求項３】
前記１対の対称回動レバーの先端部に設けられて互いに噛合した１対のギヤを設けて、それらギヤで前記レバー連結機構を構成し、
一方の前記ギヤの戸先側端部の歯を、他方の前記ギヤの戸先側端部の歯より戸先側に配置すると共に、その一方のギヤに、前記戸先側端部の歯の先端から延設されて戸先側の前記対向壁に当接可能な戸先側当接爪を設け、
他方の前記ギヤの戸尻側端部の歯を、前記一方のギヤの戸尻側端部の歯より戸尻側に配置すると共に、その他方のギヤに、前記戸尻側端部の歯の先端から延設されて戸尻側の前記対向壁に当接可能な戸尻側当接爪を設け、
前記押圧部を、戸先側の前記対向壁における戸先側に重ねて配置したことを特徴とする請求項２に記載のアシストハンドル。
【請求項４】
建物の開閉口を開閉可能な障子の戸先框における室内面に取り付けられるベース部と、前記ベース部に対して前記障子のスライド方向にスライド可能なハンドル部と、前記ベース部に対して前記障子のスライド方向に往復動可能な押圧部とを備えてなり、前記障子が閉鎖位置にあるときに前記ハンドル部を前記ベース部に対して戸尻側に引くと前記押圧部が戸先側に移動して前記開閉口の内側面を押圧し、前記障子の初動抵抗を軽減することが可能なアシストハンドルにおいて、
上下に延びかつ上下対称に配置され、前記ベース部のうち上下方向の中央寄り位置に回転可能に支持されて前記障子の室内面と平行な面内で回動する１対の対称回動レバーと、
一端に前記押圧部を有し、前記障子のスライド方向に往復動する直動出力部材と、
前記１対の対称回動レバーの両先端部と前記直動出力部材との３つの部位の何れか１つの部位に固定されたピンに残り２つの部位に形成された係合溝を係合させてなり、前記１対の対称回動レバーを対称回動するように連結すると共にそれら対称回動レバーの回動を前記直動出力部材のスライド動作に変換する連結機構と、
前記ベース部に設けられ、前記直動出力部材を、前記障子のスライド方向に直動可能に案内する押圧ガイド部と、
各前記対称回動レバーの基端部と前記ハンドル部の上下の両端部と連結し、前記ハンドル部の直動に連動して前記１対の対称回動レバーを回動させるハンドル・レバー連結機構とを備えたことを特徴とするアシストハンドル。
【発明の詳細な説明】
【技術分野】
【０００１】
本発明は、障子の初動抵抗を軽減するために障子の戸先框に取り付けられ、ハンドル部を障子のスライド方向にスライド操作して使用されるアシストハンドルに関する。
【背景技術】
【０００２】
従来、この種のアシストハンドルとして、１対の対称回動レバーがベース部に回動可能に組み付けられると共に、それら対称回動レバーの先端にローラーが取り付けられたものが知られている。このアシストハンドルでは、ハンドル部をスライド操作すると、１対の対称回動レバーの先端部が互いに接近するように回動しながら戸先側に突出してローラーが窓枠内面を押圧する（例えば、特許文献１参照）。
【先行技術文献】
【特許文献】
【０００３】
【特許文献１】特許第３９２７９３８号公報（図５〜図１０）
【発明の概要】
【発明が解決しようとする課題】
【０００４】
しかしながら、上記した従来のアシストハンドルでは、窓枠内面の表面状態によってはローラーがスムーズに窓枠内面を転動しない場合があり、障子（ガラス戸、雨戸等）を開く際の初動抵抗を安定して軽減させることができなかった。
【０００５】
本発明は、上記事情に鑑みてなされたもので、障子を開く際の初動抵抗を安定して軽減させることが可能なアシストハンドルの提供を目的とする。
【課題を解決するための手段】
【０００６】
上記目的を達成するためになされた請求項１の発明に係るアシストハンドルは、建物の開閉口を開閉可能な障子の戸先框における室内面に取り付けられるベース部と、ベース部に対して障子のスライド方向にスライド可能なハンドル部と、ベース部に対して障子のスライド方向に往復動可能な押圧部とを備えてなり、障子が閉鎖位置にあるときにハンドル部をベース部に対して戸尻側に引くと押圧部が戸先側に移動して開閉口の内側面を押圧し、障子の初動抵抗を軽減することが可能なアシストハンドルにおいて、上下に延びかつ上下対称に配置され、ベース部のうち上下方向の中央寄り位置に回転可能に支持されて障子の室内面と平行な面内で回動する１対の対称回動レバーと、１対の対称回動レバーが対称回動するように１対の対称回動レバーの先端部同士を連結するレバー連結機構と、一端に押圧部を有し、１対の対称回動レバーの先端部と一体になって障子のスライド方向に往復動するように対称回動レバーの先端部に連結された直動出力部材と、ベース部に設けられ、直動出力部材を、障子のスライド方向に直動可能に案内する押圧ガイド部と、各対称回動レバーの基端部とハンドル部の上下の両端部と連結し、ハンドル部の直動に連動して１対の対称回動レバーを回動させるハンドル・レバー連結機構と、ベース部のうち室内側を向いた面の上下両端部における戸先寄り位置に突出形成された１対のフード部と、各フード部に形成され、戸尻側に向かって開放したフード開口とを備え、ハンドル部は、１対のフード部より戸尻側に配置されると共に、上下の両端部から各フード開口内に向かって突出した１対の連結突出部を有し、１対の連結突出部と１対の対称回動レバーの基端部とがハンドル・レバー連結機構によってベース部内で連結されたところに特徴を有する。
【０００７】
請求項２の発明に係るアシストハンドルは、建物の開閉口を開閉可能な障子の戸先框における室内面に取り付けられるベース部と、ベース部に対して障子のスライド方向にスライド可能なハンドル部と、ベース部に対して障子のスライド方向に往復動可能な押圧部とを備えてなり、障子が閉鎖位置にあるときにハンドル部をベース部に対して戸尻側に引くと押圧部が戸先側に移動して開閉口の内側面を押圧し、障子の初動抵抗を軽減することが可能なアシストハンドルにおいて、上下に延びかつ上下対称に配置され、ベース部のうち上下方向の中央寄り位置に回転可能に支持されて障子の室内面と平行な面内で回動する１対の対称回動レバーと、１対の対称回動レバーが対称回動するように１対の対称回動レバーの先端部同士を連結するレバー連結機構と、一端に押圧部を有し、障子のスライド方向に往復動する直動出力部材と、直動出力部材に設けられ、１対の対称回動レバーの先端部を障子のスライド方向で挟んで１対の対称回動レバーの先端部からスライド方向を向いた動力を受ける１対の対向壁と、ベース部に設けられ、直動出力部材を、障子のスライド方向に直動可能に案内する押圧ガイド部と、各対称回動レバーの基端部とハンドル部の上下の両端部と連結し、ハンドル部の直動に連動して１対の対称回動レバーを回動させるハンドル・レバー連結機構とを備えたところに特徴を有する。
【０００８】
請求項３の発明は、請求項２に記載のアシストハンドルにおいて、１対の対称回動レバーの先端部に設けられて互いに噛合した１対のギヤを設けて、それらギヤでレバー連結機構を構成し、一方のギヤの戸先側端部の歯を、他方のギヤの戸先側端部の歯より戸先側に配置すると共に、その一方のギヤに、戸先側端部の歯の先端から延設されて戸先側の対向壁に当接可能な戸先側当接爪を設け、他方のギヤの戸尻側端部の歯を、一方のギヤの戸尻側端部の歯より戸尻側に配置すると共に、その他方のギヤに、戸尻側端部の歯の先端から延設されて戸尻側の対向壁に当接可能な戸尻側当接爪を設け、押圧部を、戸先側の対向壁における戸先側に重ねて配置したところに特徴を有する。
【０００９】
請求項４の発明に係るアシストハンドルは、建物の開閉口を開閉可能な障子の戸先框における室内面に取り付けられるベース部と、ベース部に対して障子のスライド方向にスライド可能なハンドル部と、ベース部に対して障子のスライド方向に往復動可能な押圧部とを備えてなり、障子が閉鎖位置にあるときにハンドル部をベース部に対して戸尻側に引くと押圧部が戸先側に移動して開閉口の内側面を押圧し、障子の初動抵抗を軽減することが可能なアシストハンドルにおいて、上下に延びかつ上下対称に配置され、ベース部のうち上下方向の中央寄り位置に回転可能に支持されて障子の室内面と平行な面内で回動する１対の対称回動レバーと、一端に押圧部を有し、障子のスライド方向に往復動する直動出力部材と、１対の対称回動レバーの両先端部と直動出力部材との３つの部位の何れか１つの部位に固定されたピンに残り２つの部位に形成された係合溝を係合させてなり、１対の対称回動レバーを対称回動するように連結すると共にそれら対称回動レバーの回動を直動出力部材のスライド動作に変換する連結機構と、ベース部に設けられ、直動出力部材を、障子のスライド方向に直動可能に案内する押圧ガイド部と、各対称回動レバーの基端部とハンドル部の上下の両端部と連結し、ハンドル部の直動に連動して１対の対称回動レバーを回動させるハンドル・レバー連結機構とを備えたところに特徴を有する。
【発明の効果】
【００１０】
本発明のアシストハンドルでは、ハンドル部を戸尻側にスライドさせると、そのハンドル部に連結された１対の対称回動レバーの基端部も戸尻側に移動し、１対の対称回動レバーの先端部が戸先側に移動する。すると、それら１対の対称回動レバーの先端部に連結された直動出力部材が、ベース部の押圧ガイドに案内されて障子のスライド方向に直動し、その直動出力部材の一端の押圧部が、建物の開閉口の内側面を真っ直ぐ押圧する。このように、請求項１のアシストハンドルでは、押圧部が開閉口の内側面を真っ直ぐ押圧するので、その開閉口の内側面における表面状態に拘わらず、障子を開く際の初動抵抗を安定して軽減することができる。また、１対の対称回動レバーは対称回動するように先端部同士が連結されているので、それら１対の対称回動レバーの両基端部は、障子のスライド方向で同じ位置に配置されることになる。これにより、１対の対称回動レバーの両基端部に上下の両端部が連結されたハンドル部の姿勢が安定する。
【００１１】
ここで、上記の如く、１対の対称回動レバーの先端部同士を連結させるためには、請求項４の発明のように対称回動レバーの先端部同士をピン連結してもよいし、請求項３の構成のように対称回動レバーの先端部同士をギヤ連結してもよい。なお、請求項３の構成のようにギヤ連結した場合には、１対の対称回動レバーの先端部を重ね合わせる必要がなくなるので、その分、アシストハンドルを薄くすることができる。
【００１２】
また、上述の如く、直動出力部材と１対の対称回動レバーの先端部とを連結するためには、請求項４の発明のように一方の対称回動レバーに直動出力部材をピン結合してもよいし、請求項３の構成のように１対のギヤを１対の対向壁で挟んだ構成としてもよい。そして、請求項３の構成のように、一方のギヤの戸先側端部の歯の先端から戸先側当接爪を延設して戸先側の対向壁に当接可能とし、他方のギヤの戸尻側端部の歯の先端から戸尻側当接爪を延設して戸尻側の対向壁に当接可能とすることで、１対の対向壁の間における１対のギヤの位置が安定し、押圧部の押圧動作も安定する。
【００１３】
また、請求項１の発明によれば、障子を閉めた状態でアシストハンドルが開閉口の内側面に隣接配置されたとしても、ベース部のうち１対のフード部の間に指先を突入させてハンドル部における戸先側を向いた面に指先を容易に掛けることができ、操作性にも優れる。
【図面の簡単な説明】
【００１４】
【図１】本発明の第１実施形態のアシストハンドルを備えた開閉口の断面図
【図２】アシストハンドルの斜視図
【図３】アシストハンドルの斜視図
【図４】アシストハンドルの不使用状態の正断面図
【図５】アシストハンドルの使用状態の正断面図
【図６】図４のＤ−Ｄ断面におけるアシストハンドルの断面図
【図７】図６のＨ−Ｈ断面におけるアシストハンドルの断面図
【図８】（Ａ）図４のＧ−Ｇ断面におけるアシストハンドルの断面図，（Ｂ）図４のＥ−Ｅ断面におけるアシストハンドルの断面図
【図９】第２実施形態のアシストハンドルの不使用状態の正断面図
【図１０】アシストハンドルの使用状態の正断面図
【図１１】図９のＪ−Ｊ断面におけるアシストハンドルの断面図
【発明を実施するための形態】
【００１５】
［第１実施形態］
以下、本発明の第１実施形態を図１〜図８に基づいて説明する。図１には、建物の窓としての開閉口１０の平断面図が示されている。この開閉口１０のうち室外側の略半分はアルミ及び樹脂にて形成されたガラス戸支持枠１１にて囲まれ、室内側の略半分は木製の和障子支持枠１２にて覆われている。そして、ガラス戸支持枠１１の内側には、１対のガラス戸１３，１３（本発明に「障子」に相当する）が、互いにすれ違うようにスライド可能に支持される一方、和障子支持枠１２の内側には、１対の和障子２９，２９が互いにすれ違うようにスライド可能に支持されている。
【００１６】
各ガラス戸１３は、１対のガラス板１４，１４をガラス枠１５にて囲んで支持した二重ガラス構造をなしている。各ガラス枠１５は、アルミの角筒体を枠状に接合して構成され、ガラス枠１５のうち一方の縦辺部分が本発明に係る戸先框１８となり、他方の縦辺部分が戸尻框１６となっている。そして、両ガラス戸１３，１３の戸尻框１６，１６の間に設けたクレセント錠１７にて施解錠されるようになっている。
【００１７】
各ガラス戸１３の戸先框１８には、ガラス戸１３と開閉口１０の内側面１０Ｈとの間の隙間風を防ぐためのシール部材２５が取り付けられている。具体的には、各ガラス戸１３における戸先框１８のうちガラス戸１３のスライド方向を向いた端面には、上下方向の全体にシール収容溝２１が形成されている。これらに対し、ガラス戸支持枠１１の各内側面１０Ｈからは、各シール収容溝２１内に突入可能な待受突壁２２が上下方向全体に亘って突出形成されている。
【００１８】
シール収容溝２１内にはガイド部品２３とシール突片２４とが設けられている。ガイド部品２３は、シール収容溝２１内における奥面と室内寄りの内側面とを被っている。また、室内側を被った部分がシール収容溝２１の開口面まで膨らんだ形状をなし、室内寄りの内側面を被った部分は、シール収容溝２１の幅方向における中央位置まで膨らんでいる。そして、ガラス戸１３を閉じるとガイド部品２３のテーパ面２３Ａが待受突壁２２に当接し、テーパの作用により、ガラス戸１３が室内側へ移動させられて、シール突片２４が待受突壁２２に密着するように構成されている。
【００１９】
シール収容溝２１の溝内側面からは、シール部材２５に備えた１対のシール突片２４，２４が、待受突壁２２の側面に向かって突出している。これら１対のシール突片２４，２４は、先端に向かって若干肉薄になったヒレ状をなし、互いに平行になって上下方向に延びている。そして、シール突片２４，２４はガラス戸１３を閉じたときに待受突壁２２に密着する。
【００２０】
ガラス戸１３，１３を閉めた状態では、ガラス戸１３，１３における戸尻框１６，１６同士の間の隙間風もシール部材２７によって防がれるようになっている。具体的には、一方のガラス戸１３の戸尻框１６には、他方のガラス戸１３の戸尻框１６と対向する面のうち戸先框１８から離れた側の縁部に沿ってシール部材２７が設けられている。このシール部材２７は、前記した戸先框１８のシール突片２４と同形状のシール突片２６を１つ備え、他方のガラス戸１３の戸尻框１６における戸先框１８側の縁部に密着する。そして、このシール突片２６も、ガラス戸１３の開操作時に、弓なり形状から逆弓なり形状に反転する。また、この戸尻框１６のシール突片２６は、戸先框１８における１対のシール突片２４，２４が待受突壁２２から離間する前に、他方のガラス戸１３の戸尻框１６から離間する。
【００２１】
さて、上記したシール部材２５，２７とそれらの密着対象部材との間の摩擦により、ガラス戸１３を開く際には、初動時に比較的大きな抵抗がかかる。そこで、ガラス戸１３を開く際の初動抵抗を軽減するために、各ガラス戸１３の戸先框１８における室内面には、それぞれアシストハンドル４０が取り付けられている。これらアシストハンドル４０は、図２に全体が示されており、戸先框１８に固定されるベース部４２にハンドル部４５と押圧部４８とをスライド可能に備えてなる。
【００２２】
ベース部４２は、室内側から見て縦長の長方形をなした箱形のベース部本体４２Ｓの上下両端部から室内側に１対のフード部４２Ｔ，４２Ｔを突出させた構造になっている。それらフード部４２Ｔ，４２Ｔは、ベース部本体４２Ｓのうち横方向の中央より戸先側に配置されている。また、図３に示すように、各フード部４２Ｔの戸尻側にはフード開口４２Ｋが形成されている。なお、各フード部４２Ｔは、図２に示すように、ベース部本体４２Ｓから突出した方向の途中部分で２分割され、その分割面より戸先框１８から離れた側が着脱可能なキャップ４２Ｂになっている。
【００２３】
ハンドル部４５は、フード部４２Ｔ，４２Ｔより戸尻側に配置され、ベース部本体４２Ｓの略半分の幅をなした縦長の長方形の手掛け部４６を有し、その手掛け部４６における上下の両端部からフード部４２Ｔ，４２Ｔ内へと、１対の突片状の連結突出部４７，４７を突出させた門形構造をなしている。そして、図３左側に示すように、連結突出部４７，４７の略全体がフード部４２Ｔ，４２Ｔ内に収容された始端位置と、図３右側に示すように、連結突出部４７，４７の先端部のみがフード部４２Ｔ，４２Ｔ内に収容された終端位置との間をスライドする。
【００２４】
なお、図２に示すように、手掛け部４６のうち戸先側を向きかつ連結突出部４７，４７に挟まれた部分には、指掛け溝４６Ａが形成されている。また、図６に示すように、手掛け部４６のうち戸先框１８と反対側の面は、上下方向の両端部から中央に向かって徐々に戸先框１８から離れるように丸みを帯びて膨出した形状になっている。なお、上記指掛け溝４６Ａと同様の指掛け溝を指掛け部４６における戸尻側の面に設けてもよい。そうすれば、指掛け部４６に指を掛けてガラス戸１３を閉める操作を容易に行えるようになる。
【００２５】
図４に示すように、ベース部４２の内部には、１対の対称回動レバー５０，５０が備えられている。これら１対の対称回動レバー５０，５０は、ベース部４２の内部で上下方向に延びて上下対称に配置されている。また、１対の対称回動レバー５０，５０は、ベース部４２のうち上下方向の中央寄り位置に備えられた１対のレバー回動支持軸４２Ｎ，４２Ｎにて回転可能に支持されている。さらに、１対の対称回動レバー５０，５０の先端部には、それぞれギヤ５０Ｇ，５０Ｇが備えられ、それらギヤ５０Ｇ，５０Ｇ同士が噛合して１対の対称回動レバー５０，５０が対照的に回動する。
ここで、１対のギヤ５０Ｇ，５０Ｇのうち図４の下側に示された一方のギヤ５０Ｇ（以下、適宜、下側のギヤ５０Ｇという）における戸先側端部の歯は、図４の上側に示された他方のギヤ５０Ｇ（以下、適宜、上側のギヤ５０Ｇという）における戸先側端部の歯より戸先側に配置されている。これとは逆に、上側のギヤ５０Ｇにおける戸尻側端部の歯は、下側のギヤ５０Ｇにおける戸尻側端部の歯より戸尻側に配置されている。そして、下側のギヤ５０Ｇにおける戸先側端部の歯の先端から本発明に係る戸先側当接爪５０Ｔが延設される一方、上側のギヤ５０Ｇにおける戸尻側端部の歯の先端から本発明に係る戸尻側当接爪５０Ｓが延設されている。なお、戸先側当接爪５０Ｔ及び戸尻側当接爪５０Ｓの先端部は滑らかに湾曲している。
【００２６】
各対称回動レバー５０のうちギヤ５０Ｇを有した先端部と反対側の基端部には、略上下方向に延びた長孔５０Ｌが形成されている。そして、ハンドル部４５の両連結突出部４７，４７から突出したが１対のハンドル連結ピン４５Ｐ，４５Ｐが、両対称回動レバー５０，５０の長孔５０Ｌ，５０Ｌにそれぞれ挿入されている。これにより、ハンドル部４５をスライドさせると、１対の対称回動レバー５０，５０が対称回転する。また、上記したように、ギヤ５０Ｇ，５０Ｇの噛合により対称回動レバー５０，５０同士は非対称に回転することができないので、ハンドル部４５は対称回動レバー５０，５０に連結されたことによって傾動が規制されて平行移動するようにスライドする。
【００２７】
図８（Ａ）に示すように、ハンドル連結ピン４５Ｐには、長孔５０Ｌを貫通した部分にワッシャ４５Ｗが螺子止めされている。また、ハンドル連結ピン４５Ｐの基端部側には、段付き状に拡径された台座部４５Ｄが形成され、その台座部４５Ｄとワッシャ４５Ｗとの間に対称回動レバー５０における長孔５０Ｌの縁部が挟まれている。また、図７に示すように、ベース部本体４２Ｓにおいてハンドル部４５が重ね合わされる部分には、ハンドル部４５を戸尻側にスライドさせたときに、台座部４５Ｄ，４５Ｄをガイドするガイド溝４２Ｇ，４２Ｇが形成されている。これらガイド溝４２Ｇ，４２Ｇのガイドによってハンドル部４５の上下動が規制され、ハンドル部４５がスムースに平行移動するようにスライドする。
【００２８】
図６に示すように、ベース部本体４２Ｓのうち戸先框１８に宛がわれる面は、金属製の底蓋プレート５３によって閉塞されている。その底蓋プレート５３における上下の両端寄り位置には、図４に示すように、１対のベース取付孔５３Ａ，５３Ａが形成されている。これら１対のベース取付孔５３Ａ，５３Ａは、図２に示したキャップ４２Ｂ，４２Ｂに対向している。そして、これらキャップ４２Ｂ，４２Ｂを取り外してベース取付孔５３Ａ，５３Ａを露出させて、それらベース取付孔５３Ａ，５３Ａに挿通した図示しない螺子にてベース部４２が戸先框１８に固定されている。また、底蓋プレート５３の戸尻側端部には、ベース部４２に向かって折り曲げられたフランジ部５３Ｂ（図８参照）が形成されている。
【００２９】
図６に示すように、上記した各対称回動レバー５０を回動可能に支持する各レバー回動支持軸４２Ｎは、ベース部４２のうち底蓋プレート５３と対向する内面から底蓋プレート５３に向かって突出している。そして、各レバー回動支持軸４２Ｎの基端部には、段付き状に拡径した台座部４２Ｍが備えられ、そこにトーションコイルバネ５１が取り付けられている。また、図４に示すように、ベース部４２の内面には、１対のレバー回動支持軸４２Ｎより上下方向の端部寄り位置に１対のストッパ突部５２，５２が形成されている。そして、各トーションコイルバネ５１の一端部がストッパ突部５２に係止する一方、トーションコイルバネ５１の他端部が対称回動レバー５０に係止している。そして、各トーションコイルバネ５１の弾発力によって対称回動レバー５０，５０のうちギヤ５０Ｇ，５０Ｇにて噛合したレバー先端結合部が戸尻側に向かうように付勢されている。
【００３０】
図２に示すように、ベース部４２の戸先側の側面には矩形孔４２Ｃが形成され、その矩形孔４２Ｃの上下の開口縁からは、図４に示すように、ベース部４２の内側に押圧ガイド４２Ｚ，４２Ｚが延びている。押圧部４８は、ブロック状をなしかつ押圧ガイド４２Ｚ，４２Ｚにガイドされ、図５に示すように矩形孔４２Ｃから突出したり、図４に示すように矩形孔４２Ｃ内に没入するように直動する。
【００３１】
押圧部４８は、直動中継部材５４を介してレバー先端結合部に連結されている。なお、これら押圧部４８と直動中継部材５４とから本発明に係る「直動出力部材」が構成されている。直動中継部材５４は、図８（Ｂ）に示すように、底蓋プレート５３に重ね合わされる連絡壁５４Ａの両端部から１対の対向壁５４Ｂ，５４Ｃを起立させて対峙させた構造になっている。そして、図４に示すように、それら１対の対向壁５４Ｂ，５４Ｃの間に１対の対称回動レバー５０，５０のレバー先端結合部が配置され、一方の対称回動レバー５０に備えた戸尻側当接爪５０Ｓが一方の対向壁５４Ｂに当接し、他方の対称回動レバー５０に備えた戸先側当接爪５０Ｔが他方の対向壁５４Ｃに当接している。また、直動中継部材５４のうち戸先側の対向壁５４Ｃには、その上下の両端部を戸先側に直角曲げしてブロック挟持部５４Ｄが形成され、そのブロック挟持部５４Ｄにブロック状の押圧部４８が挟持されている。以上の構成により、ハンドル部４５をベース部４２に対して戸尻側に引くと、押圧部４８が対向壁５４Ｃを介してベース部４２から戸先側に突出し、ハンドル部４５から手を放すと、トーションコイルバネ５１の弾発力により対向壁５４Ｂを介して突出した押圧部４８がベース部４２に没入する。また、本実施形態では、１対の対称回動レバー５０，５０をギヤ連結する一方のギヤ５０Ｇにおける戸先側端部の歯の先端から戸先側当接爪５０Ｔを延設して戸先側の対向壁５４Ｃに当接可能とする一方、他方のギヤ５０Ｇの戸尻側端部の歯の先端から戸尻側当接爪５０Ｓを延設して戸尻側の対向壁５４Ｂに当接可能としたことで、１対の対向壁５４Ｂ，５４Ｃの間における１対のギヤ５０Ｇ，５０Ｇの位置が安定し、押圧部４８の動作も安定する。
【００３２】
なお、本実施形態では、押圧部４８の直動ストロークの初期位置で、図４に示すように対称回動レバー５０とストッパ突部５２とが当接して押圧部４８が位置決めされる。一方、押圧部４８の直動ストロークの終端位置では、図５に示した対称回動レバー５０が底蓋プレート５３のフランジ部５３Ｂに当接することによって押圧部４８が位置決めされる。さらに、アシストハンドル４０は、ガラス戸１３を閉じた状態で押圧部４８が開閉口１０の内側面１０Ｈに対して隙間を介して対向した状態になるように配置されている。
【００３３】
本実施形態のアシストハンドル４０の構成に係る説明は以上である。次に、このアシストハンドル４０の作用効果について説明する。ガラス戸１３が閉じた状態でアシストハンドル４０を利用してガラス戸１３を開くために、ハンドル部４５に指を掛けて戸尻側にスライドさせると、そのハンドル部４５に連結された１対の対称回動レバー５０，５０の基端部も戸尻側に移動し、１対の対称回動レバー５０，５０の先端部が戸先側に移動する。すると、それら１対の対称回動レバー５０，５０の先端部に連結された押圧部４８が、ベース部４２の押圧ガイド４２Ｚ，４２Ｚに案内されてガラス戸１３のスライド方向に直動し、建物の開閉口１０の内側面１０Ｈを真っ直ぐ押圧する。このように、本実施形態のアシストハンドル４０では、押圧部４８が開閉口１０の内側面１０Ｈを真っ直ぐ押圧するので、その開閉口１０の内側面１０Ｈにおける表面状態に拘わらず、ガラス戸１３を開く際の初動抵抗を安定して軽減することができる。また、ガラス戸１３を閉めた状態でアシストハンドルが開閉口の内側面に隣接配置されていても、ベース部４２のうち１対のフード部４２Ｔ，４２Ｔの間に指先を突入させてハンドル部４５における戸先側を向いた面に指先を容易に掛けることができ、操作性にも優れる。
【００３４】
さらに、本実施形態のアシストハンドル４０では、１対の対称回動レバー５０，５０は対称回動するように先端部同士が連結されているので、それら１対の対称回動レバー５０，５０の両基端部は、ガラス戸１３のスライド方向で同じ位置に配置されることになる。これにより、１対の対称回動レバー５０，５０の両基端部に上下の両端部が連結されたハンドル部４５の姿勢が安定する。また、ギヤ連結によって１対の対称回動レバー５０，５０を対称回動させる構成としたことで、１対の対称回動レバー５０，５０の先端部を重ね合わせる必要がなくなり、その分、アシストハンドル４０を薄くすることができる。
【００３５】
［第２実施形態］
以下、本発明の第２実施形態を、図９〜図１１に基づいて説明する。本実施形態のアシストハンドル４０Ｖは、対称回動レバー５０Ｖ，５０Ｖ同士がピン結合されている点とハンドル部４５Ｖの手掛け部４６と連結突出部４７，４７との角部外側が丸みを帯びている点とが第１実施形態と相違している。具体的には、図９に示すように、両対称回動レバー５０Ｖ，５０Ｖの先端部にはＵ字溝５０Ｙ，５０Ｙが形成され、それら両Ｕ字溝５０Ｙ，５０Ｙを共通の連結ピン６１が貫通した状態に設けられている。そして、その連結ピン６１の一端部が、図１１に示すように、押圧部４８から後方の延びたピン支持板６０に結合されている。これにより、アシストハンドル４０Ｖは、前記実施形態のアシストハンドル４０と同様に、対称回動レバー５０Ｖ，５０Ｖが対称的に回動して押圧部４８が直動する（図９と図１０参照）。また、本実施形態の構成によれば、対称回動レバー５０Ｖ，５０Ｖの両方が連結ピン６１を介して押圧部４８を押すので、安定して押圧部４８を直動させることができる共に、各対称回動レバー５０Ｖへの負荷が分散されて軽減される。
【００３６】
［他の実施形態］
本発明は、前記実施形態に限定されるものではなく、上記以外にも要旨を逸脱しない範囲内で種々変更して実施することができる。
【符号の説明】
【００３７】
１０    開閉口
１０Ｈ  内側面
１３    ガラス戸（障子）
１８    戸先框
４０，４０Ｖ    アシストハンドル
４１    ベース部
４２Ｔ  フード部
４５，４５Ｖ    ハンドル部
４７    連結突出部
４８    押圧部
５０，５０Ｖ    対称回動レバー
５０Ｇ  ギヤ
５３    底蓋プレート
５４    直動中継部材
５４Ａ  連絡壁
５４Ｂ，５４Ｃ    対向壁
６０    ピン支持板
６１    連結ピン
【図１】
0005578656.tif 000002
【図２】
0005578656.tif 000003
【図３】
0005578656.tif 000004
【図４】
0005578656.tif 000005
【図５】
0005578656.tif 000006
【図６】
0005578656.tif 000007
【図７】
0005578656.tif 000008
【図８】
0005578656.tif 000009
【図９】
0005578656.tif 000010
【図１０】
0005578656.tif 000011
【図１１】
0005578656.tif 000012